(57)【要約】【課題】分解可能なメモリカードケーシングの提供。【解決手段】上カバー、本体、カバー、下カバーで組成され、該本体内にメモリカード装置との接触用の端子が設けられ、該本体の前側にカバーが閉じ合わされ、該本体の両側よりそれぞれロッドが延伸され、該ロッドの上面及び底面に複数の係止溝が設けられ、該上カバーの両側に少なくとも一つのＵ形フックが設けられ、下カバーの両側に少なくとも一つの逆Ｌ形フックが設けられ、該Ｕ形フックと逆Ｌ形フックがそれぞれ該係止溝に対応して両者が係合され、該ロッド内に制圧板が連接され、該制圧板が本体内の端子を制圧して端子全体の完全な平坦度を増加すると共に全体の安定性を高める。【選択図】　　　　図３
0003097385.tif 000002
【実用新案登録請求の範囲】
【請求項１】
上カバー、本体、カバー、下カバーで組成され、該本体内にメモリカード装置との接触用の端子が設けられ、該本体前側にカバーが閉じ合わされ、該本体の両側よりそれぞれロッドが延伸され、該ロッドの上面と底面が該上カバーと下カバーに連結された分解可能なメモリカードケーシングにおいて、
該本体の両側より延伸されたロッドの上面と底面に複数の係止溝が設けられ、該上カバーの両側に少なくとも一つのＵ形フックが設けられ、該下カバーの両側に少なくとも一つの逆Ｌ形フックが設けられ、該Ｕ形フックと該逆Ｌ形フックがそれぞれ該係止溝に対応し、相互に係合することを特徴とする、分解可能なメモリカードケーシング。
【請求項２】
請求項１記載の分解可能なメモリカードケーシングにおいて、ロッドの前縁部分に切欠きが形成されたことを特徴とする、分解可能なメモリカードケーシング。
【請求項３】
請求項１記載の分解可能なメモリカードケーシングにおいて、ロッドの外部側面に滑り溝が設けられたことを特徴とする、分解可能なメモリカードケーシング。
【請求項４】
請求項１記載の分解可能なメモリカードケーシングにおいて、ロッド内に制圧板が連接されたことを特徴とする、分解可能なメモリカードケーシング。
【考案の詳細な説明】
【０００１】
【考案の属する技術分野】
本考案は一種の分解可能なメモリカードケーシングに係り、特に、分解組立が容易で、チェックと修理に便利なメモリカードケーシングに関する。
【０００２】
【従来の技術】
一般大衆がコンピュータを使用する頻度はますます増加し、コンピュータの処理、実行、内容及び配備等に対する要求もますます厳しくなっている。コンピュータを更に多元化するため、関係業者が不断に開発するコンピュータと相容する製品、例えばマウス、キーボード、ディジタルイメージングデバイス、スキャナ、モデム及びプリンタ等はいずれもコネクタ等でコンピュータに連接される。ゆえにコネクタの品質、設置及び組立もまた重要である。
【０００３】
また、メモリカード装置は不断の抜き差し動作により、コネクタ内部端子の変形を形成しやすく、これによりメモリカード装置と連接が行えなくなることがあるが、現在市場で使用されているコネクタは分解できず、このためコネクタ内部端子が変形すると交換しなければならず、このため使用者の経済負担を増し、資源の浪費を形成した。
【０００４】
【考案が解決しようとする課題】
ゆえに、上述の周知のメモリカード連接装置は実際の使用上、不便と欠点が存在し、改善が求められている。
【０００５】
本考案は従来の技術の欠点を解決する分解可能なメモリカードケーシングを提供する。それはチェックと修理に便利であり、使用者の使用上の便利性を増すほか、費用を節約し、浪費を防止する目的を達成するものとする。
【０００６】
【課題を解決するための手段】
請求項１の考案は、上カバー、本体、カバー、下カバーで組成され、該本体内にメモリカード装置との接触用の端子が設けられ、該本体前側にカバーが閉じ合わされ、該本体の両側よりそれぞれロッドが延伸され、該ロッドの上面と底面が該上カバーと下カバーに連結された分解可能なメモリカードケーシングにおいて、
該本体の両側より延伸されたロッドの上面と底面に複数の係止溝が設けられ、該上カバーの両側に少なくとも一つのＵ形フックが設けられ、該下カバーの両側に少なくとも一つの逆Ｌ形フックが設けられ、該Ｕ形フックと該逆Ｌ形フックがそれぞれ該係止溝に対応し、相互に係合することを特徴とする、分解可能なメモリカードケーシングとしている。
請求項２の考案は、請求項１記載の分解可能なメモリカードケーシングにおいて、ロッドの前縁部分に切欠きが形成されたことを特徴とする、分解可能なメモリカードケーシングとしている。
請求項３の考案は、請求項１記載の分解可能なメモリカードケーシングにおいて、ロッドの外部側面に滑り溝が設けられたことを特徴とする、分解可能なメモリカードケーシングとしている。
請求項４の考案は、請求項１記載の分解可能なメモリカードケーシングにおいて、ロッド内に制圧板が連接されたことを特徴とする、分解可能なメモリカードケーシングとしている。
【０００７】
【考案の実施の形態】
本考案の分解可能なメモリカードケーシングは、上カバー、本体、カバー、下カバーで組成され、該本体内にメモリカード装置との接触用のメモリカード端子が設けられ、該本体の前側にカバーが閉じ合わされ、該本体の両側よりそれぞれロッドが延伸され、該ロッドの上面及び底面に複数の係止溝が設けられ、該上カバーの両側に少なくとも一つのＵ形フックが設けられ、下カバーの両側に少なくとも一つの逆Ｌ形フックが設けられ、該Ｕ形フックと逆Ｌ形フックがそれぞれ該係止溝に対応して両者が係合される。
【０００８】
【実施例】
図１は本考案のメモリカードケーシングの斜視図であり、図２は本考案のメモリカードケーシングの分解斜視図である。本考案は、分解可能なメモリカードケーシングを提供し、それは使用者が簡単にメモリカードケーシングを分解、組立でき、チェックと修理を行い易いものとされる。本考案のメモリカードケーシングは、上カバー１、本体２、カバー３、下カバー４で組成され、該本体２内にメモリカード基板（図示せず）が設けられてメモリカード装置と電気的に連接され、該本体２の両側外縁よりそれぞれロッド２１が延伸され、該ロッド２１の前縁部分に切欠き２１３が形成され、且つ溝口が外向きとされ、該ロッド２１の中間部分に上面と底面を貫通する少なくとも一つの係止溝２１１が設けられ、該ロッド２１の外部側面に滑り溝２１２が設けられて上カバー１の引き出し或いは押し込みに便利とされ、該本体２の前側に突起部が形成され、その下方に該カバー３が閉じ合わされ、これにより全体の構造強度が増され、変形が防止される。
【０００９】
図３は図１のＡ−Ａ’断面図であり、図４は上カバーと下カバーの連接状態表示図である。本考案は上カバー１の両側に少なくとも一つのＵ形フック１１が設けられ、下カバー４の両側のＵ形フックに対応する位置に少なくとも一つの逆Ｌ形フック４１が設けられ、該Ｕ形フック１１と逆Ｌ形フック４１がそれぞれロッド２１の上面と底面の係止溝２１１内に対応し、両者が相互に係合される。
【００１０】
さらに図２に示されるように、上カバー１の前縁部分にさらに係止板１２が設けられ、該係止板１２が該ロッド２１の前縁部分の切欠き２１３に対応し、これによりその係止連接の強度が増されている。両側の延伸されたロッド２１内に制圧板５が連接され、該制圧板５は本体２内のメモリカード連接端子を制圧してこの端子全体の完全な平坦度を増加すると共に、全体の安定性を高める。
【００１１】
使用者が本体２内の端子をチェック及び修理したい時は、上カバー１或いは下カバー４を回せば、上カバー１或いは下カバー４が本体２と分離し、分解不能で全体の交換を要する状況を発生せず、これにより経済の負担を減少し、資源の浪費を防止する。
【００１２】
【考案の効果】
本考案の分解可能なメモリカードケーシングは少なくとも以下の長所を有している。
１．チェックと修理に便利であり、有効に製造コストを節約し、浪費の形成を防止する。
２．使用者の使用上の便利性を増す。
３．全体の完全な平坦度を高め、メモリカードの長期にわたる抜き差し動作による変形を防止する。
【００１３】
総合すると、本考案の提供する分解可能なメモリカードケーシングは、産業上の利用価値、新規性及び進歩性を有する。また本考案の構造はその出願前に刊行された出版物にその記載がなく、また公開使用されておらず、ゆえに実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案の斜視図である。
【図２】本考案の分解斜視図である。
【図３】図１のＡ−Ａ’断面図である。
【図４】本考案の上カバーと下カバーの連接状態図である。
【符号の説明】
１　上カバー
１１　Ｕ形フック
１２　係止板
２　本体
２１　ロッド
２１１　係止溝
２１２　滑り溝
２１３　切欠き
３　カバー
４　下カバー
４１　逆Ｌ形フック
５　制圧板
【図１】
0003097385.tif 000003
【図２】
0003097385.tif 000004
【図３】
0003097385.tif 000005
【図４】
0003097385.tif 000006